(57)【特許請求の範囲】
【請求項１】
本体と、
上記本体内に実装される電子部品と、
上記電子部品上に実装され、緩衝部材を介して上記電子部品との間に間隙を有して配置される電池パックと、
を具備することを特徴とする電子機器。
【請求項２】
上記電子部品は、緩衝部品を介して上記本体内に実装されることを特徴とする請求項１記載の電子機器。
【請求項３】
上記電子部品は磁気ディスク装置であることを特徴とする請求項２記載の電子機器。
【請求項４】
上記緩衝部材は上記電池パックの対向する両端を保持すると同時に、上記本体に加わった衝撃を、上記電池パックを３次元方向へ振動させることで吸収することを特徴とする請求項１記載の電子機器。
【請求項５】
上記緩衝部材はゴム材にて形成されることを特徴とする請求項１乃至４のいずれかに記載の電子機器。
【請求項６】
本体と、
上記本体に実装される磁気ディスク装置と、
上記磁気ディスク装置の対向する両端を保持し、上記本体に対して上記磁気ディスク装置を３次元方向に振動可能に保持する第１の緩衝部材と、
上記磁気ディスク装置上方に実装される電池パックと
上記電池パックを上記磁気ディスク装置上方において、上記磁気ディスク装置との間に間隙を有して配置される第２の緩衝部材と、
を具備することを特徴とする電子機器。
【請求項７】
上記第１および第２の緩衝部材はそれぞれゴム材にて形成されることを特徴とする請求項６記載の電子機器。
【発明の詳細な説明】
【０００１】
【発明の属する技術分野】
本発明は、電池パックの保持構造に関する。
【０００２】
【従来の技術】
現在、ハードディスクドライブ（以下ＨＤＤと称す）が内蔵された小型の携帯形電子機器が登場してきている。このような電子機器は、内蔵している音楽データや画像データを内蔵ＨＤＤに記憶しておき歩きながら、あるいは電車内等で使用するのに適している。このように携帯するためには電子機器本体は内蔵のＨＤＤの大きさにより規定され、ＨＤＤの大きさに対して一回り大きい程度の大きさで問題なくカバン、掌、ポケット等に入る大きさになっている。
【０００３】
また、携帯することが前提となっているため、落下等により内蔵ＨＤＤへの直接の衝撃を緩和する目的で、ＨＤＤは上下左右前後の３次元方向への多少の揺れを許容されている。さらに、電子機器本体内には電池パックが内蔵されている。電池パックはＨＤＤと同様に電子機器の重量および大きさを大きく左右する部品である。そのため、電子機器に衝撃等が加わった場合は、ＨＤＤ同様に電池パックにも衝撃が伝わる。これら機器内で重量の大きいＨＤＤや電池パックは衝撃による作用で、上下左右前後方向の３次元方向への振動量は大きなものとなってしまう。
【０００４】
【発明が解決しようとする課題】
上記したような構成において、電子機器は携帯に便利なように掌サイズもしくはＢ５サイズといった小型のものである。従って、内部では電子部品同士は近接して配置されており、電子機器本体に衝撃が加わった場合、互いの振動により互いが衝突する等の不具合が生じてしまう。
【０００５】
そこで本発明においては、本体に加わった衝撃による内蔵電子部品間の衝突を防止する電子機器の提供を目的とする。
【課題を解決するための手段】
上記目的を達成するために、請求項１に係る電子機器は、本体と、本体内に実装される電子部品と、電子部品上に実装され、緩衝部材を介して電子部品との間に間隙を有して配置される電池パックと、を具備することを特徴とする。
【０００６】
さらに、請求項６に係る電子部品は、本体と、本体に実装される磁気ディスク装置と、磁気ディスク装置の対向する両端を保持し、本体に対して磁気ディスク装置を３次元方向に振動可能に保持する第１の緩衝部材と、磁気ディスク装置上方に実装される電池パックと
【０００７】
電池パックを磁気ディスク装置上方において、磁気ディスク装置との間に間隙を有して配置される第２の緩衝部材と、を具備することを特徴とする。
【０００８】
このような構成により、本体に加わった衝撃による内蔵電子部品間の衝突を防止することが可能である。
【０００９】
【発明の実施の形態】
以下本発明に係る第１の実施の形態を、図面を参照して説明する。図１は、第１の実施の形態に係る電子機器の斜視図である。電子機器１は略矩形の本体２を有している。本体２にはＬＣＤ３が設けられており、電子機器１の情報を表示可能である。本体２は掌サイズになっており携帯に便利な大きさとなっている。
【００１０】
図２は、電池パックとＨＤＤと第１および第２の緩衝部材の分解斜視図である。本体２内部には、本体２の駆動源となる電池パック１０と、ＨＤＤ４とが内蔵される。
【００１１】
ＨＤＤ４は一端５に後述する回路基板１７に電気的に接続されるコネクタ６が設けられている。ＨＤＤ４の両側部７ａ，７ｂには第１の緩衝部材であり、ゴム材を使用したダンパー８、９が取り付けられる。このダンパー８，９はシリコーン等の弾性を有する材料から形成されても良い。
【００１２】
ダンパー８，９は同じ構造のためダンパー８を例に説明する。ダンパー８は略矩形の直方体に形成されており、ＨＤＤ４よりも厚みを有している。ダンパー８の略中央には長手方向に溝８ｅが形成される。ダンパー８は、断面コ字状になるように、上部８ａ、下部８ｂ、側部８ｃ，８ｄ（側部８ｄは図示せず。）を有し、これらにより溝８ｅが規定される。
【００１３】
ＨＤＤ４の両側部７ａ，７ｂはダンパー８，９の溝８ｅ，９ｅに挿入されることで本体２内に保持される。ＨＤＤ４はダンパー８，９により前後左右上下方向の３次元方向への移動もしくは振動が可能となっており、本体２に衝撃が加わった際、ＨＤＤ４に直接衝撃が加わらないように、あえてＨＤＤ４を本体２内で移動可能にするものである。
【００１４】
また、電池パック１０はリチウムイオンバッテリーである。この電池パック１０は外装体としてラミネートシートを用いている。このラミネートシートは金属層の両面に樹脂材料をラミネートした複合フィルムとして形成されている。このラミネートシートを袋状に形成することで、電池パック１０の外装を形成している。
【００１５】
電池パック１０は一端１１に制御回路１２が設けられている。制御回路１２にはケーブル１３を介してコネクタ１４が設けられている。コネクタ１４は後述する回路基板１７に電気的に接続されるものである。
【００１６】
電池パック１０の両側部１０ａ，１０ｂには、第２の緩衝部材でありゴム材を使用したダンパー１５，１６が取り付けられる。このダンパー１５，１６はシリコーン等の弾性を有する材料から形成されても良い。
【００１７】
ダンパー１５，１６は同じ構造のためダンパー１５を例に説明する。ダンパー１５は略矩形の直方体に形成されており、電池パック１０よりも厚みを有している。ダンパー１５の略中央には長手方向に溝１５ｅが形成される。ダンパー１５は、断面コ字状になるように、上部１５ａ、下部１５ｂ、側部１５ｃ，１５ｄ（側部１５ｄは図示せず。）を有し、これらにより溝１５ｅが規定される。
【００１８】
電池パック１０の両側部１０ａ，１０ｂはダンパー１５，１６の溝１５ｅ，１６ｅに挿入されることで本体２内に保持される。電池パック１０はダンパー１５，１６により前後左右上下方向の３次元方向への移動もしくは振動が可能となっており、本体２に衝撃が加わった際、電池パック１０に直接衝撃が加わらないように、あえて電池パック１０を本体２内で移動可能にするものである。
【００１９】
図３は、図１の断面線Ａ−Ａ’の断面図である。
【００２０】
本体２にはボス２ａを介して回路基板１７が実装されている。回路基板１７上にはダンパー８，９が取り付けられたＨＤＤ４が実装される。ダンパー８，９が取り付けられたＨＤＤ４と回路基板１７とは略同じ平面サイズとなっている。またダンパー８，９の下部８ｂ、９ｂの分だけＨＤＤ４と回路基板１７との間に間隙が設けられている。
【００２１】
ＨＤＤ４の上面にはダンパー１５，１６が取り付けられた電池パック１０が実装される。ダンパー１５，１６が取り付けられた電池パック１０はダンパー８，９の上部８ａ，８ｂ間のＨＤＤ４の上面４ａに実装されている。すなわちダンパー１５，１６の下部１５ｂ、１６ｂがＨＤＤ４の上面に配置される状態である。従って、電池パック１０とＨＤＤ４との間はダンパー１５，１６の下部１５ｂ、１６ｂの厚み分間隙Ｌ１が設けられることになる。
【００２２】
従って、本体２に衝撃が加わった場合でも、間隙Ｌ１により、ＨＤＤ４および電池パック１０が３次元方向への移動を許容するとともに、互いが衝突することを防止することが出来る。無論ダンパー８，９およびダンパー１５，１６の素材の弾性係数および厚みを基に、ＨＤＤ４と電池パック１０とが最大振動した場合でも衝突しないような間隙を設計すれば良い。
【００２３】
図４は、電池パックが膨張した場合の電池パックとＨＤＤとの関係を示す断面図である。電池パック１０は、経年変化や温度上昇により膨張することがある。図４に示すように電池パック１０が膨張したとしても図３における間隙Ｌ１が存在するために、ＨＤＤ４に接触することなく間隙Ｌ２を維持することになる。電池パック１０が膨張したとしても間隙Ｌ２が存在することで、ＨＤＤ４および電池パック１０が振動したとしても互いが衝突し破損することはない。
【００２４】
図５は第２の実施の形態に係る電子機器の断面図を示すものである。第１の実施の形態と同一部品には同一符号を付して説明を省略する。
【００２５】
第２の実施の形態は第１の実施の形態に対してダンパー１５，１６が取り付けられた電池パック１０の配置位置が異なるだけであり、その他は第１の実施の形態と同様の構成となっている。すなわち、電池パック１０のダンパー１５，１６がＨＤＤ４のダンパー８，９の上面に実装されている。このような構成にすることでＨＤＤ４と電池パック１０との間隙Ｌ３はダンパー８の上部８ａとダンパー１５の下部１５ｂの厚さとの合計となり、第１の実施の形態における間隙Ｌ１よりも大きな間隙Ｌ３が形成されることになる。この場合、第１の実施の形態に対して、第２の実施の形態に係る本体２の厚さは大きくなってしまうが、第１の緩衝部材の上に第２の緩衝部材が重ねられることで第１の実施の形態に比べＨＤＤ４および電池パック１０に対する外部からの衝撃を大きく吸収することが出来るという効果がある。
【００２６】
上述したような構成により、本実施の形態においては、緩衝部材が電池パックに設けられ、この電池パックが、ＨＤＤ等の電子部品との間に間隙を有して配置されるために互いに衝突することなく破損を防止することが出来、さらに電池の膨張による互いの衝突も防止することが出来ると言う効果を有している。
【００２７】
本発明ではその主旨を逸脱しない範囲であれば、上記の実施形態に限定されるものではない。そして、電子手帳、ＰＤＡ、ノート型パソコン、携帯電話、デジタルカメラ及びデジタルビデオ等に広く適用できるものである。
【００２８】
【発明の効果】
以上詳述した発明によれば、本体に加わった衝撃による内蔵電子部品間の衝突を防止することが可能である。
【図面の簡単な説明】
【図１】電子機器の斜視図。
【図２】電池パックとＨＤＤと第１および第２の緩衝部材の分解斜視図。
【図３】図１の断面線Ａ−Ａ’の断面図。
【図４】電池パックが膨張した場合の電池パックとＨＤＤとの関係を示す断面図。
【図５】第２の実施の形態に係る電子機器の断面図。
【符号の説明】
１・・・電子機器、２・・・本体、３・・・ＬＣＤ、４・・・ＨＤＤ、５・・・一端、６・・・コネクタ、７ａ，７ｂ・・・両側部、８，９，１５，１６・・・ダンパー、８ａ・・・上部、８ｂ・・・下部、８ｃ，８ｄ・・・側部、８ｅ・・・溝、１０・・・電池パック，１１・・・一端、１２・・・制御回路、１３・・・ケーブル、１４・・・コネクタ、１７・・・回路基板
【図１】
0003640937.tif 000002
【図２】
0003640937.tif 000003
【図３】
0003640937.tif 000004
【図４】
0003640937.tif 000005
【図５】
0003640937.tif 000006